【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
燃料が供給されるアノード電極と、空気が供給されるカソード電極と、上記アノード電極および上記カソード電極により挟まれる膜電極接合体と、上記アノード電極と積層されたアノード板状部材とを有する燃料電池と、
上記燃料を貯え、上記燃料を上記アノード電極に供給する燃料供給部と、
上記燃料電池を収納する燃料電池収納空間を形成する筐体と、
一端部が上記アノード板状部材の外面に被着され、他端部が上記燃料電池収納空間の外部に延長されて上記筐体の内面に被着された伝熱シートとを有する燃料電池収納構造。
【請求項２】
燃料が供給されるアノード電極と、空気が供給されるカソード電極と、上記アノード電極および上記カソード電極により挟まれる膜電極接合体と、上記カソード電極と積層され、空気通過孔が形成されるカソード板状部材とを有する燃料電池と、
上記燃料を貯え、上記燃料を上記アノード電極に供給する燃料供給部と、
上記燃料電池を収納する燃料電池収納空間を形成する筐体と、
上記カソード板状部材と対向する筐体部分の内面に被着された金属膜とを有する燃料電池収納構造。
【請求項３】
上記カソード板状部材を上記金属膜に押し当てるつめが上記燃料電池収納空間に設けられた請求項２記載の燃料電池収納構造。
【請求項４】
燃料が供給されるアノード電極と、空気が供給されるカソード電極と、上記アノード電極および上記カソード電極により挟まれる膜電極接合体と、上記アノード電極と積層されたアノード板状部材とを有する燃料電池と、
上記燃料を貯え、上記燃料を上記アノード電極に供給する燃料供給部と、
上記燃料電池を収納する燃料電池収納空間を形成する筐体と、
上記アノード板状部材上に積層された回路基板と、
上記回路基板上に積層された蓄電部とを有する燃料電池収納構造。
【請求項５】
上記アノード板状部材と上記回路基板とによって伝熱シートの一端部が挟まれ、上記伝熱シートの他端部が上記燃料電池収納空間の外部に延長されて上記筐体の内面に被着された請求項４記載の燃料電池収納構造。
【請求項６】
燃料が供給されるアノード電極と、空気が供給されるカソード電極と、上記アノード電極および上記カソード電極により挟まれる膜電極接合体と、上記アノード電極と積層されたアノード板状部材とを有する燃料電池と、
上記燃料を貯え、上記燃料を上記アノード電極に供給する燃料供給部と、
上記燃料電池を収納する燃料電池収納空間を形成する筐体と、
上記燃料電池からの電源が供給される回路がマウントされる配線基板と
が筐体内部に収納され、
伝熱シートの一端部が上記アノード板状部材の外面に被着され、他端部が上記燃料電池収納空間の外部に延長されて上記筐体の内面に被着された電子機器。
【請求項７】
燃料が供給されるアノード電極と、空気が供給されるカソード電極と、上記アノード電極および上記カソード電極により挟まれる膜電極接合体と、上記アノード電極と積層されたアノード板状部材とを有する燃料電池と、
上記燃料を貯え、上記燃料を上記アノード電極に供給する燃料供給部と、
上記燃料電池を収納する燃料電池収納空間を形成する筐体と、
上記燃料電池からの電源が供給される回路がマウントされる配線基板と
が筐体内部に収納され、
上記カソード板状部材と接触する金属膜が筐体部分の内面に被着された電子機器。
【請求項８】
燃料が供給されるアノード電極と、空気が供給されるカソード電極と、上記アノード電極および上記カソード電極により挟まれる膜電極接合体と、上記アノード電極と積層されたアノード板状部材とを有する燃料電池と、
上記燃料を貯え、上記燃料を上記アノード電極に供給する燃料供給部と、
上記燃料電池を収納する燃料電池収納空間を形成する筐体と、
上記アノード板状部材上に積層された回路基板と、
上記回路基板上に積層された蓄電部とを有する電子機器。
【請求項９】
燃料が供給されるアノード電極と、空気が供給されるカソード電極と、上記アノード電極および上記カソード電極により挟まれる膜電極接合体と、上記カソード電極と積層され、空気通過孔が形成されたカソード板状部材とを有する燃料電池と、
上記燃料を貯え、上記燃料を上記アノード電極に供給する燃料供給部と、
上記燃料電池を収納する燃料電池収納空間を形成する筐体と、
上記カソード板状部材と対向する筐体部分に形成される空気取込み孔と、
上記筐体部分の内面に形成され、互いに対向する上記カソード板状部材と上記筐体部分との間に隙間を確保するための凸部とを有する燃料電池収納構造。
【請求項１０】
上記燃料電池は、複数の矩形の発電部が平面に配され、上記複数の発電部が直列接続され、
上記複数の発電部の上記空気通過孔が格子パターンによって区画され、
上記凸部が上記格子パターンと対応して形成された格子パターンリブである請求項９記載の燃料電池収納構造。
【請求項１１】
燃料が供給されるアノード電極と、空気が供給されるカソード電極と、上記アノード電極および上記カソード電極により挟まれる膜電極接合体と、上記カソード電極と積層され、空気通過孔が形成されたカソード板状部材とを有する燃料電池と、
上記燃料を貯え、上記燃料を上記アノード電極に供給する燃料供給部と、
上記燃料電池からの電源が供給される回路がマウントされる配線基板と
が筐体内部に収納され、
空気取込み孔が上記カソード板状部材と対向する筐体部分に形成され、
互いに対向する上記カソード板状部材と上記筐体部分との間に隙間を確保するための凸部が上記筐体部分の内面に形成された電子機器。
【請求項１２】
燃料が供給されるアノード電極と、空気が供給されるカソード電極と、上記アノード電極および上記カソード電極により挟まれる膜電極接合体と、上記カソード電極と積層され、空気通過孔が形成されたカソード板状部材とを有する燃料電池と、
上記燃料を貯え、上記燃料を上記アノード電極に供給する燃料供給部と、
上記燃料電池を収納する燃料電池収納空間を形成する筐体と、
上記カソード板状部材と対向する筐体部分に形成される空気取込み孔と、
上記筐体部分の外面に形成された複数の隆起部とを有する燃料電池収納構造。
【請求項１３】
上記複数の隆起部は、上記筐体部分の周辺の上記空気取込み孔が形成されていない領域に設けられた請求項１２記載の燃料電池収納構造。
【請求項１４】
燃料が供給されるアノード電極と、空気が供給されるカソード電極と、上記アノード電極および上記カソード電極により挟まれる膜電極接合体と、上記カソード電極と積層され、空気通過孔が形成されるカソード板状部材とを有する燃料電池と、
上記燃料を貯え、上記燃料を上記アノード電極に供給する燃料供給部と、
上記燃料電池からの電源が供給される回路がマウントされる配線基板と
が筐体内部に収納され、
上記カソード板状部材と対向する筐体部分に空気取込み孔が形成され、
上記筐体部分の外面に複数の隆起部が形成された電子機器。
【請求項１５】
燃料が供給されるアノード電極と、空気が供給されるカソード電極と、上記アノード電極および上記カソード電極により挟まれる膜電極接合体とを有する燃料電池と、
上記燃料電池を収納する燃料電池収納空間と燃料カートリッジ収納空間を形成する筐体と、
上記燃料カートリッジ収納空間に装着された透過性を有する燃料カートリッジから燃料を上記アノード電極に供給する燃料供給部と、
装着された上記燃料カートリッジの側面から上記燃料カートリッジ内部を照明する発光素子と、
上記筐体に形成され、上記燃料カートリッジを外から見る窓とを有する燃料電池収納構造。
【請求項１６】
燃料電池を収納する燃料電池収納空間と燃料カートリッジ収納空間とが筐体に形成され、
上記燃料電池収納空間に対して、燃料が供給されるアノード電極と、空気が供給されるカソード電極と、上記アノード電極および上記カソード電極により挟まれる膜電極接合体と、上記アノード電極と積層されたアノード板状部材とを有する燃料電池が収納され、
上記筐体内に上記燃料電池からの電源が供給される回路がマウントされる配線基板が収納され、
上記燃料電池収納空間に対して、透過性を有する燃料カートリッジが収納され、
上記燃料カートリッジから燃料が燃料供給部によって上記アノード電極に供給され、
装着された上記燃料カートリッジの側面から上記燃料カートリッジ内部を発光素子によって照明し、
上記筐体に形成された窓を通じて上記燃料カートリッジを外から見るようにした電子機器。
【請求項１７】
燃料が供給されるアノード電極と、空気が供給されるカソード電極と、上記アノード電極および上記カソード電極により挟まれる膜電極接合体とを有する燃料電池と、
上記燃料電池を収納する燃料電池収納空間と上記燃料カートリッジ収納空間を形成する筐体と、
上記燃料カートリッジ収納空間に装着された透過性を有する燃料カートリッジから燃料を上記アノード電極に供給する燃料供給部と、
上記燃料カートリッジに設けられた係止部と、
上記筐体内面に設けられ、上記燃料カートリッジの装着時に上記係止部と係合する係止受け部とを有する燃料電池収納構造。
【請求項１８】
上記燃料カートリッジの挿入方向に対して後側の側面に断面Ｌ状または断面コ字状の補助部材が取り付けられ、
上記補助部材に上記係止部が設けられた請求項１７記載の燃料電池収納構造。
【請求項１９】
燃料電池を収納する燃料電池収納空間と燃料カートリッジ収納空間とが筐体に形成され、
上記燃料電池収納空間に対して、燃料が供給されるアノード電極と、空気が供給されるカソード電極と、上記アノード電極および上記カソード電極により挟まれる膜電極接合体と、上記アノード電極と積層されたアノード板状部材とを有する燃料電池が収納され、
上記筐体内に上記燃料電池からの電源が供給される回路がマウントされる配線基板が収納され、
上記燃料電池収納空間に対して、透過性を有する燃料カートリッジが収納され、
上記燃料カートリッジから燃料が燃料供給部によって上記アノード電極に供給され、
上記燃料カートリッジに係止部が設けられ、
上記筐体内面に、上記燃料カートリッジの装着時に上記係止部と係合する係止受け部が設けられた電子機器。
【請求項２０】
燃料が供給されるアノード電極と、空気が供給されるカソード電極と、上記アノード電極および上記カソード電極により挟まれる膜電極接合体とを有する燃料電池と、
上記燃料電池を収納する燃料電池収納空間と上記燃料カートリッジ収納空間を形成する筐体と、
上記筐体内に収納された上記燃料電池からの電源が供給される回路がマウントされる配線基板と、
上記燃料カートリッジ収納空間に装着された透過性を有する燃料カートリッジから燃料を上記アノード電極に供給する燃料供給部と、
上記燃料カートリッジ収納空間に設けられ、上記燃料カートリッジの装着および非装着を検出する検出スイッチと、
上記検出スイッチによって上記燃料カートリッジの装着を検出する時に、上記燃料電池の発電を開始させる制御部とを有する電子機器。